(57)【要約】【課題】フィルター部の引き出し操作を行うことなく容易にフィルター部の取り外しが可能な浴室暖房乾燥機を提供する。【解決手段】吸入口３が形成されたグリル板２と、フィルター部２０が吸入口３に位置する状態で係合状態となる係合手段Ｈとを備え、係合部を被係合部に向かって押し込む押込操作を行うことで係合状態となり、係合状態で更なる押込操作を行うことで係合状態が解除される解除状態となるプッシュ・プッシュ式のラッチ機構を、フィルター部２０とグリル板２との間に設けて係合手段Ｈが構成され、係合手段配設位置に対して、押込操作の方向である押込操作方向の反対方向側となるフィルター部２０の端部位置に操作部２３を設け、グリル板２の押込操作方向における係合手段配設位置側に、押込操作方向の反対方向となるフィルター部送出方向にフィルター部２０を付勢する付勢手段３０が設けられた。【選択図】図２
2015140977.tif 000002
【特許請求の範囲】
【請求項１】
本体の下方に設けられ空気の吸入口及び吹出口が形成されたグリル板と、
操作部を有し、前記グリル板に着脱自在に設けられたフィルター部と、
当該フィルター部が前記吸入口に位置する状態で係合状態となる係合手段とを備えた浴室暖房乾燥機であって、
係合部と当該係合部と係合する被係合部とで構成され、前記係合部を前記被係合部に向かって押し込む押込操作を行うことで、前記係合部と前記被係合部とが係合された係合状態となり、当該係合状態で更なる前記押込操作を行うことで前記係合状態が解除された解除状態となるプッシュ・プッシュ式のラッチ機構を、前記フィルター部と前記グリル板との間に設けて前記係合手段が構成され、
前記係合手段が配設された係合手段配設位置に対して、前記押込操作の方向である押込操作方向の反対方向側となる前記フィルター部の端部位置に前記操作部を設け、
前記グリル板の前記押込操作方向における前記係合手段配設位置側に、前記押込操作方向の反対方向となるフィルター部送出方向に前記フィルター部を付勢する付勢手段が設けられた浴室暖房乾燥機。
【請求項２】
前記フィルター部に前記係合部が設けられるとともに、当該係合部と前記操作部とが前記押込操作方向に沿う直線上に設けられている請求項１に記載の浴室暖房乾燥機。
【請求項３】
前記操作部が棒状部材で形成され、前記棒状部材の長手方向が前記押込操作方向に沿う状態で、前記棒状部材の一端側が前記フィルター部と接続され、当該棒状部材の他端側に押圧部が形成されている請求項１又は２に記載の浴室暖房乾燥機。
【請求項４】
前記フィルター部に設けられる前記係合部と前記操作部との間に、当該フィルター部を補強する補強部材が設けられている請求項１〜３の何れか一項に記載の浴室暖房乾燥機。
【請求項５】
前記フィルター部に前記付勢手段が当接するフィルター部側当接部が、
前記補強部材が設けられた補強部材装着部である請求項４に記載の浴室暖房乾燥機。
【請求項６】
前記グリル板に前記操作部を収納する収納部が設けられ、
前記収納部又は前記操作部の少なくとも一方に磁石が設けられ、
前記係合状態で、前記磁石により前記操作部が前記収納部に収納される請求項１〜５の何れか一項に記載の浴室暖房乾燥機。
【発明の詳細な説明】
【技術分野】
【０００１】
本発明は、本体の下方に設けられ空気の吸入口及び吹出口が形成されたグリル板と、操作部を有し、前記グリル板に着脱自在に設けられたフィルター部と、当該フィルター部が前記吸入口に位置する状態で係合状態となる係合手段とを備えた浴室暖房乾燥機に関する。
【背景技術】
【０００２】
従来の浴室暖房乾燥機として、例えば、下記の特許文献１には、浴室天井に設けられた本体と、その本体下方にグリル板としての化粧パネル１とが備えられた浴室暖房乾燥機が開示されている。この化粧パネル１には浴室内の空気を吸入する吸入口が設けられ、その吸入口には空気中の埃を除去するフィルター部が着脱自在に設けられている。フィルター部は化粧パネルに設けられたフィルターガイド８Ａによって案内され、フィルター部が吸入口に位置する状態で、フィルター部に設けられた突起部１０が、フィルターガイド８Ａに設けられた受部１１に係合するように構成されている。
【０００３】
このような浴室暖房乾燥機によって浴室内の空気を加熱して、例えば、浴室内に干した衣類を乾燥させる場合には、衣類から発生する埃が吸入口から吸込まれるので、吸入口に設けられたフィルター部に埃が堆積する。フィルター部に埃が堆積すると、浴室暖房乾燥機の性能悪化や消費電力増大に繋がるため、フィルター部の清掃のために、定期的に化粧パネルからフィルター部を取り外すことが必要となる。
【先行技術文献】
【特許文献】
【０００４】
【特許文献１】特開平８−２８０９９８号公報
【発明の概要】
【発明が解決しようとする課題】
【０００５】
しかしながら、上記特許文献１の突起部と受部との係合は、フィルター部が化粧パネルから簡単に外れて浴室天井から落下することを防止するため、フィルター部にフィルターガイドによって案内される方向とは異なる係合解除方向に力を加えて移動させることで、解除されるように構成されている。よって、突起部と受部とが係合した状態で、フィルター部を化粧パネルから取り外すには、作業者は、フィルター部に力を加えて係合を解除しつつ、フィルターガイドによって案内される方向に引き出す引き出し操作を行うことが必要であり、化粧パネルからのフィルター部の取り外しが困難であるという問題があった。
【０００６】
本発明は、かかる点に着目してなされたものであり、その目的は、フィルター部の引き出し操作を行うことなく容易にフィルター部の取り外しが可能な浴室暖房乾燥機を提供することにある。
【課題を解決するための手段】
【０００７】
この目的を達成するための本発明に係る浴室暖房乾燥機は、
本体の下方に設けられ空気の吸入口及び吹出口が形成されたグリル板と、
操作部を有し、前記グリル板に着脱自在に設けられたフィルター部と、
当該フィルター部が前記吸入口に位置する状態で係合状態となる係合手段とを備えた浴室暖房乾燥機であって、その第１特徴構成は、
係合部と当該係合部と係合する被係合部とで構成され、前記係合部を前記被係合部に向かって押し込む押込操作を行うことで、前記係合部と前記被係合部とが係合された係合状態となり、当該係合状態で更なる前記押込操作を行うことで前記係合状態が解除された解除状態となるプッシュ・プッシュ式のラッチ機構を、前記フィルター部と前記グリル板との間に設けて前記係合手段が構成され、
前記係合手段が配設された係合手段配設位置に対して、前記押込操作の方向である押込操作方向の反対方向側となる前記フィルター部の端部位置に前記操作部を設け、
前記グリル板の前記押込操作方向における前記係合手段配設位置側に、前記押込操作方向の反対方向となるフィルター部送出方向に前記フィルター部を付勢する付勢手段が設けられた点にある。
【０００８】
上記浴室暖房乾燥機の第１特徴構成によれば、係合手段配設位置に対して、押込操作方向の反対方向側となるフィルター部の端部位置に操作部が設けられているので、作業者は、この操作部を操作して、フィルター部を押込操作方向に押し込むことで、係合部を被係合部に向かって押し込む押込操作を行うことができ、係合部と被係合部とが係合された係合状態として、フィルター部をグリル板の吸入口に位置する状態で固定することができる。
【０００９】
また、係合手段がプッシュ・プッシュ式のラッチ機構を設けて構成されるので、係合状態で、フィルター部の操作部を操作して、更なる押込操作を行うことで、係合状態が解除された解除状態とすることができる。このように解除状態となると、付勢手段の付勢力によって、フィルター部を押込操作方向の反対方向となるフィルター部送出方向に押し出すことができる。よって、作業者は、押込操作を行うだけで、係合部と被係合部とを解除状態として、フィルター部をフィルター部送出方向に押し出すことができるので、グリル板からフィルター部を容易に取り外すことができる。
【００１０】
本発明に係る浴室暖房乾燥機の第２特徴構成は、上記浴室暖房乾燥機の第１特徴構成に加えて、
前記フィルター部に前記係合部が設けられるとともに、当該係合部と前記操作部とが前記押込操作方向に沿う直線上に設けられている点にある。
【００１１】
上記浴室暖房乾燥機の第２特徴構成によれば、作業者によって操作部に加えられた押込操作方向への押圧力を効率よく係合部に伝えることができる。よって、押込操作によって行われる係合部と被係合部との係合及び係合解除を容易に行うことができる。
【００１２】
本発明に係る浴室暖房乾燥機の第３特徴構成は、上記浴室暖房乾燥機の第１乃至第２特徴構成に加えて、
前記操作部が棒状部材で形成され、前記棒状部材の長手方向が前記押込操作方向に沿う状態で、前記棒状部材の一端側が前記フィルター部と接続され、当該棒状部材の他端側に押圧部が形成されている点にある。
【００１３】
上記浴室暖房乾燥機の第３特徴構成によれば、棒状部材の他端側に押圧部が形成されているので、押圧部を押圧することでフィルター部を押込操作方向に押し込むことができる。よって、押込操作によって行われる係合部と被係合部との係合及び係合解除を容易に行うことができる。
【００１４】
本発明に係る浴室暖房乾燥機の第４特徴構成は、上記浴室暖房乾燥機の第１乃至第３特徴構成に加えて、
前記フィルター部に設けられる前記係合部と前記操作部との間に、当該フィルター部を補強する補強部材が設けられている点にある。
【００１５】
上記浴室暖房乾燥機の第４特徴構成によれば、係合部と前記操作部との間に補強部材が設けられているので、フィルター部に撓みが発生することを抑制して、作業者によって操作部に加えられた押込操作方向への押圧力をできるだけ損なうことなく係合部に伝えることができる。
【００１６】
本発明に係る浴室暖房乾燥機の第５特徴構成は、上記浴室暖房乾燥機の第４特徴構成に加えて、
前記フィルター部に前記付勢手段が当接するフィルター部側当接部が、
前記補強部材が設けられた補強部材装着部である点にある。
【００１７】
上記浴室暖房乾燥機の第５特徴構成によれば、付勢手段が補強部材によって補強されている補強部材装着部に当接するので、付勢手段によるフィルター送出方向の付勢力をフィルター部に効率よく伝えることができ、フィルター部をフィルター送出方向に押圧してグリル部から押し出すことができる。
【００１８】
本発明に係る浴室暖房乾燥機の第６特徴構成は、上記浴室暖房乾燥機の第１乃至第５特徴構成に加えて、
前記グリル板に前記操作部を収納する収納部が設けられ、
前記収納部又は前記操作部の少なくとも一方に磁石が設けられ、
前記係合状態で、前記磁石により前記操作部が前記収納部に収納される点にある。
【００１９】
上記浴室暖房乾燥機の第６特徴構成によれば、作業者により作業を行うことなく、磁着により操作部を収納部に収納することができる。また、操作部を収納部に収容することで、作業者等が誤って操作部と接触する等によりフィルター部がグリル板から取り外されてしまうことを防止することができる。さらに、操作部を収納部に収容することで、グリル板から操作部が突出せず、デザイン性を向上することができる。
【図面の簡単な説明】
【００２０】
【図１】本発明に係る浴室暖房乾燥機の概略構成図
【図２】本発明に係る浴室暖房乾燥機の断面図
【図３】フィルター部の概略平面図
【図４】グリル板の概略平面図
【図５】付勢手段及び係合手段を示す概略斜視図
【図６】フィルター部のグリル板への取り付け動作を示す図
【図７】フィルター部のグリル板からの取り外し動作を示す図
【発明を実施するための形態】
【００２１】
以下、図面に基づいて、本発明に係る浴室暖房乾燥機の実施形態を説明する。
図１及び図２に示すように、浴室暖房乾燥機は、装置本体Ｍと、その装置本体Ｍに加熱した熱媒を循環供給する熱源機Ｇと、浴室暖房乾燥機の運転を制御する制御手段としての運転制御部Ｃと、その運転制御部Ｃに各種制御指令を指令する浴室リモコンＲ１及び脱衣室リモコンＲ２とを備えて構成されている。浴室リモコンＲ１は、浴室Ｂ内に備えられ、脱衣室リモコンＲ２は、浴室Ｂに隣接する脱衣室に備えられる。
【００２２】
装置本体Ｍは、本体ケーシング１（本体の一例）と、その下方に設けられたグリル板２とで構成されている。そして、本体ケーシング１が浴室Ｂの天井裏に配置され、グリル板２が天井板１０の浴室側の天井面に配設されている。尚、装置本体Ｍは、吊り金具１１にて、天井スラブ等に吊り下げ支持される。また、ダクト接続部Ｅに接続された排気ダクト５は、浴室Ｂの天井裏を這わして先端を外壁等から屋外に臨ませるように施工される。
【００２３】
本体ケーシング１は、下方が略全体にわたって開口した概ね直方体形状の箱状に構成され、その本体ケーシング１内には、吸入口３から吸い込んだ空気を吹出口４から吹き出すように通風作用する循環ファン６、吸入口３から吸い込んだ空気をダクト接続部Ｅを通して本体ケーシング１外に排出する排気ファン７、循環ファン６により通風される空気を熱源機Ｇから熱媒循環路８を通して循環供給される熱媒にて加熱する暖房用熱交換器９等が装備されている。
【００２４】
グリル板２には、空気の吸入口３及び吹出口４が形成され、本体ケーシング１の下方の開口を塞ぐ状態で装備されている。この吸入口３にはフィルター部２０が着脱自在に設けられており、そのフィルター部２０が吸入口３に位置する状態で係合状態となる係合手段Ｈが設けられている。また、フィルター部２０をグリル板２から取り外す方向に付勢する付勢手段３０が設けられている。吸入口３には格子状に形成された吸入口フィン３ｂが設けられている。
【００２５】
そして、図２に示すように、本体ケーシング１の内部に、中抜き矢印にて示す如く吸入口３を通して浴室Ｂ内の空気を吸い込んで吹出口４を通して吹き出すための循環通風路１８が、導風板１６により区画形成されている。この循環通風路１８は、導風板１６により、本体ケーシング１の内部における排気口１３が臨む空間部分と区画されている。
そして、この循環通風路１８内に、循環ファン６が、吸入口３に吸込み作用すると共に、その吸入口３から吸い込んだ空気を吹出口４に向けて吐出するように通風作用する状態で設けられている。
【００２６】
暖房用熱交換器９が、循環通風路１８内における循環ファン６よりも通風方向上流側に設けられて、熱源機Ｇから循環供給される熱媒との熱交換により、循環通風路１８内を通風する空気を加熱するよう構成されている。ちなみに、暖房用熱交換器９は、一対の熱交換器部分にて構成され、これら一対の熱交換部分が正面視でＬ字状に配設されている。
つまり、循環ファン６の通風作用により、吸入口３を通して吸い込まれた浴室Ｂ内の空気が、暖房用熱交換器９にて加熱された後、吹出口４を通して浴室Ｂ内に吹き出されるように構成されており、これにより、浴室Ｂ内が暖房される浴室暖房運転が行われる。この浴室暖房運転は浴室リモコンＲ１及び脱衣室リモコンＲ２からの指令により実施される。
【００２７】
また、吹出口４には、電動モータ（図示省略）により揺動駆動される可動ルーバ１９が設けられ、この可動ルーバ１９により、吹出口４から浴室Ｂ内に吹き出される空気の風向が変更可能なように構成されている。
【００２８】
排気ファン７が、本体ケーシング１の内部において、排気口１３が形成された内側面と導風板１６との間の部分に設けられたファンケース７ｃ内に設けられている。また、排気ファン７を回転駆動する電動モータ７ｂがファンケース７ｃの上面に配置されている。
また、図示を省略するが、排気口１３が形成された内側面と導風板１６との間の排気ファン７が配設された空間部分は、循環通風路１８内における暖房用熱交換器９よりも通風方向上流側の部分に連通するように構成されている。
【００２９】
そして、循環ファン６が作動されている状態で、排気ファン７が作動されると、循環ファン６の通風作用により浴室Ｂから吸い込まれた空気の一部が、暖房用熱交換器９により加熱される前に排気ファン７の通風作用により分流され、それに伴う風圧により排気口シャッタ１７が開かれて、分流された空気が排気口１３から排気導風ボックス１４及び排気ダクト５を通して屋外に排出される浴室換気運転が行われる。又、循環ファン６が停止されている状態で、排気ファン７が作動されると、排気ファン７の通風作用により浴室Ｂ内の空気が吸入口３を通して吸い込まれ、それに伴う風圧により排気口シャッタ１７が開かれて、浴室Ｂ内の空気が排気口１３から排気導風ボックス１４及び排気ダクト５を通して屋外に排出される浴室換気運転が行われる。この浴室換気運転は、浴室リモコンＲ１及び脱衣室リモコンＲ２からの指令により実施される。
【００３０】
次に、浴室暖房乾燥機の各部について説明を加える。
図３に基づいてフィルター部２０について説明する。フィルター部２０は、空気をフィルタリングするフィルター２１と、そのフィルター２１を支持する枠体２２と、フィルター部２０をグリル板２の吸入口３に着脱する際に、作業者が保持してその着脱操作を行うための操作部２３とで構成されている。また、フィルター部２０は、グリル板２に設けられた案内部開口２ａから挿入され、案内部２ｂにより案内されて吸入口３に設けられる（図２参照）。これにより、グリル板２の吸入口３から本体ケーシング１内に吸入する浴室内の空気に含まれる埃等を取り除くことができる。例えば、浴室内において衣類乾燥を行う際に、衣類から発生して浴室内の空気に含まれる埃を取り除くことができる。
【００３１】
また、フィルター部２０を案内部２ｂに挿入する挿入方向側の係合手段側端部２５には、フィルター部２０をグリル板２に固定する係合手段Ｈとしての係合部２６が設けられている。この係合部２６は、枠体２２の挿入方向に直交する方向における略中間付近において挿入方向に凸となる状態で設けられている。
なお、フィルター部２０の案内部２ｂへの挿入方向は、詳しくは後述するが、この係合部２６をグリル板２に設けられた被係合部３１に押し込む押込操作の方向である押込操作方向と同じ方向である。また、図３の引き出し図には、フィルター部２０の係合部２６がグリル板２に設けられた被係合部３１に押し込む押込操作され、係合部２６と被係合部３１とが係合した係合状態が示されている。この係合状態において、フィルター部２０は、吸入口３に位置してグリル板２に取り付けられた状態となる。
【００３２】
操作部２３は、フィルター部２０において、係合部２６が配設された係合手段配設位置Ａに対して、上記押込操作方向の反対方向側となるフィルター部２０の反対側端部２４に設けられている。この操作部２３は棒状部材で形成され、棒状部材の長手方向が押込操作方向に沿う状態で、棒状部材の一端側がフィルター部２０と接続され、棒状部材の他端側に押圧部２３ａが形成されている。また、操作部２３は、押込操作方向に直交する方向においては、係合部２６と同様に、枠体２２の略中間付近に設けられている。よって、フィルター部２０において、係合部２６と操作部２３とが押込操作方向に沿う直線上に設けられている。
【００３３】
さらに、フィルター部２０に設けられた係合部２６と操作部２３との間に、フィルター部２０を補強する補強部材２７が設けられている。補強部材２７は、フィルター部２０の上面側となる本体ケーシング１側に設けられ、上面視で略Ｔ字状の形状とされ、枠体２２において係合部２６が配設された係合手段側端部２５に設けられている。
なお、この補強部材２７が設けられた補強部材装着部２８に、後述するグリル板２に設けられた付勢手段３０がフィルター部２０に当接するフィルター部側当接部２８ａが設けられている。なお、この補強部材装着部２８とは、補強部材２７が設けられた枠体２２の周辺部位であり、例えば、略Ｔ字状の形状の補強部材２７が設けられた枠体２２の側面部が補強部材装着部２８となる。
【００３４】
次に、図４に基づいてグリル板２について説明する。
グリル板２には、上述の如く、空気の吸入口３及び吹出口４が形成され、吸入口３には格子状に形成された吸入口フィン３ｂが設けられている。また、グリル板２には、フィルター部２０が挿入される案内部開口２ａと、案内部開口２ａから挿入されたフィルター部２０を吸入口３まで案内する案内部２ｂとが設けられている。案内部開口２ａは、グリル板２の吸入口３と吹出口４との間に設けられている。案内部２ｂは、挿入方向に沿う吸入口３の縁部３ａと、その縁部３ａに沿って、その縁部３ａの本体ケーシング１側に設けられた案内板２ｃとの間に形成されている（図２参照）。
【００３５】
グリル板２には係合手段Ｈとしての被係合部３１が設けられている。被係合部３１は、フィルター部２０の係合部２６と係合して、フィルター部２０をグリル板２に固定するものである。被係合部３１は、吸入口３よりも押込操作方向側に、押込操作方向と直交方向において吸入口３の中間付近に配設する状態で設けられている。具体的には、吸入口３の押込操作方向側の縁部に形成された押込操作方向側壁２ｄに設けられた被係合部支持体２ｅに支持されて設けられている。
【００３６】
また、詳しくは後述するが、グリル板２の押込操作方向における被係合部３１が配設された係合手段配設位置Ａ側に、押込操作方向の反対方向となるフィルター部送出方向にフィルター部２０を付勢する付勢手段３０が設けられている。つまり、付勢手段３０は、グリル板２の吸入口３よりも押込操作方向側において、被係合部３１に近接する位置に設けられている。
【００３７】
そして、グリル板２の浴室側面には、フィルター部２０に設けられた操作部２３を収納する収納部３２が設けられている。この収納部３２には磁石３２ａが設けられている。一方、フィルター部２０の操作部２３には磁性体（図示せず）が設けられており、これにより、グリル板２の被係合部３１とフィルター部２０の係合部２６とが係合した係合状態で、フィルター部２０の操作部２３が、グリル板２の収納部３２に磁着により収納される。
【００３８】
次に、図５に基づいて、付勢手段３０及び係合手段Ｈについて説明する。
付勢手段３０は、付勢手段本体３０ａとその付勢手段本体３０ａに摺動自在に設けられた棒状の当接体３０ｂとで構成されている。この付勢手段本体３０ａ内には、圧縮バネ等の付勢部材（図示せず）が設けられ、この付勢部材により当接体３０ｂが付勢手段本体３０ａから突出する方向に付勢されている。そして、当接体３０ｂの先端部３０ｃが、フィルター部２０の補強部材装着部２８に設けられたフィルター部側当接部２８ａに当接する。この付勢手段３０は、吸入口３の押込操作方向側の縁部に設けられた押込操作方向側壁２ｄ及びグリル板２の外周壁の内側に設けられた付勢手段支持体２ｆにより付勢手段本体３０ａが支持されて設けられている。
【００３９】
係合手段Ｈは、フィルター部２０に設けられた係合部２６と、グリル板２に設けられた被係合部３１とで構成され、上述の如く、フィルター部２０がグリル板２の吸入口３に位置する状態で、係合部２６と被係合部３１とが係合状態（図３の引き出し図参照）となるように構成されている。
【００４０】
係合手段Ｈは、係合部２６を被係合部３１に向かって押し込む押込操作を行うことで係合部２６と被係合部３１とが係合された係合状態となり、その係合状態で再び押込操作を行うことで係合状態が解除される解除状態となるプッシュ・プッシュ式のラッチ機構を、フィルター部２０とグリル板２との間に設けて構成されている。
【００４１】
このプッシュ・プッシュ式のラッチ機構は、例えば、特開平４−２７７２８２号公報に開示されているのと同様な構成のラッチ機構であり、係合部２６を被係合部３１に向かって押し込む押込操作を行うことで、係合部２６が被係合部３１に設けられた一対のアーム部３３に挟持されて、係合部２６と被係合部３１とが係合された係合状態となる。また、この係合状態において更なる押込操作を行うことで、係合部２６を挟持している被係合部３１の一対のアーム部３３が開いて、係合部２６と被係合部３１との係合が外れて、係合状態が解除された解除状態に戻るラッチ機構である。
【００４２】
次に、フィルター部２０のグリル板２への取り付け動作について図６に基づいて説明する。
図６（ａ）に示すように、フィルター部２０をグリル板２に取り付けるときには、フィルター部２０を案内部開口２ａより案内部２ｂに挿入し、フィルター部２０を案内部２ｂに沿って押込操作方向に進めると、フィルター部２０に付勢手段３０が当接する状態となるが、付勢手段３０の付勢力に反してフィルター部２０をさらに押込操作方向に押し込んで、係合部２６を被係合部３１に当接させる。
【００４３】
そして、図６（ｂ）に示すように、係合部２６が被係合部３１に当接した状態で、操作部２３の押圧部２３ａを押圧して、係合部２６を被係合部３１に向かって押し込む押込操作を行う。そうすると、図６（ｃ）に示すように、係合部２６と被係合部３１とが係合状態となり、フィルター部２０がグリル板２の吸入口３に配設された状態となる。この状態で、フィルター部２０の操作部２３が、グリル板２の収納部３２に備えられた磁石３２ａの磁気により、収納部３２に収容される。
【００４４】
次に、フィルター部２０のグリル板２からの取り外し動作について図７に基づいて説明する。
図７（ａ）に示すように、操作部２３を収納部３２から取出し、操作部２３の押圧部２３ａを押圧して、係合状態となっているフィルター部２０の係合部２６を被係合部３１に向かって押し込む押込操作を行うことで、係合状態が解除された解除状態となる。
【００４５】
解除状態となると、図７（ｂ）に示すように、付勢手段３０によりフィルター部２０が押込操作方向と反対方向であるフィルター部送出方向に押し出されて、フィルター部２０の一部が案内部開口２ａから押し出された状態となる。この状態となると、作業者は操作部２３を把持してフィルター部２０を案内部２ｂから取り出すことで、容易にグリル板２からフィルター部２０を取り外すことができる。
【００４６】
〔別実施形態〕
最後に、本発明の別実施形態について説明する。尚、以下に説明する各実施形態の構成は、夫々単独で適用されるものに限られず、矛盾が生じない限り、他の実施形態の構成と組み合わせて適用することも可能である。
（Ａ）上記実施形態では、グリル板２の収納部３２に磁石３２ａが設けられ、フィルター部２０の操作部２３には磁性体が設けられたが、これに限らず、フィルター部２０の操作部２３に磁石を設け、グリル板２の収納部３２に磁性体を設けてもよい。また、グリル板２の収納部３２及びフィルター部２０の操作部２３の両方に磁石を設けてもよい。
【００４７】
（Ｂ）上記実施形態では、フィルター部２０の操作部２３は棒状部材で形成され、棒状部材の長手方向が押込操作方向に沿う状態で、棒状部材の一端側がフィルター部２０の反対側端部２４と接続されたが、これに限らず、棒状部材の長手方向が押込操作方向と直交する状態で反対側端部２４に設けてもよい。
【００４８】
（Ｃ）上記実施形態では、係合部２６と操作部２３とが、夫々フィルター部２０の係合手段側端部２５と反対側端部２４との枠体２２の押込操作方向と直交する方向の略中間付近に設け、フィルター部２０において押込操作方向に沿う直線上に設けられたが、これに限らず、係合部２６と操作部２３とを、夫々枠体２２の押込操作方向と直交する方向の端部付近に設けてもよい。
また、係合部２６と操作部２３とを、フィルター部２０において押込操作方向に沿う直線上に設けずに、一方を枠体２２の端部付近に設け、他方を枠体２２の中間付近に設けてもよい。この場合、係合部２６が設けられた位置に応じてグリル板２において被係合部３１が設置される。
【００４９】
（Ｄ）上記実施形態では、フィルター部２０の係合部２６と操作部２３との間に設けられた補強部材２７は、フィルター部２０の上面側となる本体ケーシング１側に設けられたが、これに限らず、フィルター部２０の下面側となる浴室Ｂ側に設けてもよい。
また、この補強部材２７は上面視で略Ｔ字状の形状とされたが、これに限らず、押込操作方向に沿う直線状に形成してもよい。
【００５０】
（Ｅ）上記実施形態では、付勢手段３０は、グリル板２において、被係合部３１に近接する位置に設けられたが、これに限らず、被係合部３１から離間して設けてもよい。
【産業上の利用可能性】
【００５１】
以上説明したように、フィルター部の引き出し操作を行うことなく容易にフィルター部の取り外しが可能な浴室暖房乾燥機を提供することができる。
【符号の説明】
【００５２】
１      本体ケーシング（本体）
２      グリル板
３      吸入口
４      吹出口
２０    フィルター部
２３    操作部
２３ａ  押圧部
２４    反対側端部（端部位置）
２６    係合部
２７    補強部材
２８    補強部材装着部
２８ａ  フィルター部側当接部
３０    付勢手段
３１    被係合部
３２    収納部
３２ａ  磁石
Ａ      係合手段配設位置
Ｈ      係合手段
【図１】
2015140977.tif 000003
【図２】
2015140977.tif 000004
【図３】
2015140977.tif 000005
【図４】
2015140977.tif 000006
【図５】
2015140977.tif 000007
【図６】
2015140977.tif 000008
【図７】
2015140977.tif 000009